(57)【要約】【課題】安価なＰＷＥ装置を用いたまま、ＡＴＭ回線やＴＤＭ回線をＭＰＬＳ網に乗り入れ可能なアクセス系ネットワーク−ＭＰＬＳ網間データ転送システム、方法、及びプログラムを提供する。【解決手段】ＶＬＡＮ網及びＭＰＬＳ網に接続され、インターワーク機能を有する集約装置と、アクセス系ネットワーク及びＶＬＡＮ網に接続され、イーサカプセル化機能を有するＰＷＥ装置と、で構成した。【選択図】図１
2010109936.tif 000002
【特許請求の範囲】
【請求項１】
ＶＬＡＮ網及びＭＰＬＳ網に接続され、インターワーク機能を有する集約装置と、アクセス系ネットワーク及び前記ＶＬＡＮ網に接続され、イーサカプセル化機能を有するＰＷＥ装置と、で構成されたことを特徴とするアクセス系ネットワーク−ＭＰＬＳ網間データ転送システム。
【請求項２】
前記集約装置は、前記ＭＰＬＳ網に対して信号の送受信を行うＭＰＬＳインターフェース部と、イーサカプセル化ＡＴＭをＭＰＬＳカプセル化ＡＴＭに、ＭＰＬＳカプセル化ＡＴＭをイーサカプセル化ＡＴＭに変換するインターワーク機能部と、前記ＶＬＡＮ網に対して信号の送受信を行うＶＬＡＮインターフェース部とを有し、
前記ＰＷＥ装置は、前記アクセス系ネットワークに対して信号の送受信を行うＡＴＭインターフェース部と、前記ＶＬＡＮ網に対して信号の送受信を行うＶＬＡＮインターフェース部と、ＡＴＭセルを前記ＶＬＡＮ網に乗せるためのイーサカプセル化、イーサカプセル化ＡＴＭをＡＴＭアクセス系のネットワークに乗せるためのデカプセル化を行うイーサカプセル化部とを有することを特徴とする請求項１記載のアクセス系ネットワーク−ＭＰＬＳ網間データ転送システム。
【請求項３】
前記イーサカプセル化ＡＴＭは、イーサヘッダ部、ＡＴＭセル、及びＦＣＳ部を有し、
前記ＭＰＬＳカプセル化ＡＴＭは、ＭＰＬＳヘッダ部、ＡＴＭセル、及びＦＣＳ部を有することを特徴とする請求項２記載のアクセス系ネットワーク−ＭＰＬＳ網間データ転送システム。
【請求項４】
前記集約装置は、前記ＭＰＬＳ網に対して信号の送受信を行うＭＰＬＳインターフェース部と、イーサカプセル化ＴＤＭをＭＰＬＳカプセル化ＴＤＭに、ＭＰＬＳカプセル化ＴＤＭをイーサカプセル化ＴＤＭに変換するインターワーク機能部と、前記ＶＬＡＮ網に対して信号の送受信を行うＶＬＡＮインターフェース部とを有し、
前記ＰＷＥ装置は、前記アクセス系ネットワークに対して信号の送受信を行うＴＤＭインターフェース部と、前記ＶＬＡＮ網に対して信号の送受信を行うＶＬＡＮインターフェース部と、ＴＤＭセルを前記ＶＬＡＮ網に乗せるためのイーサカプセル化、イーサカプセル化ＴＤＭをＡＴＭアクセス系のネットワークに乗せるためのデカプセル化を行うイーサカプセル化部とを有することを特徴とする請求項１記載のアクセス系ネットワーク−ＭＰＬＳ網間データ転送システム。
【請求項５】
前記イーサカプセル化ＴＤＭは、イーサヘッダ部、ＴＤＭデータ、及びＦＣＳ部を有し、
前記ＭＰＬＳカプセル化ＴＤＭは、ＭＰＬＳヘッダ部、ＴＤＭデータ、及びＦＣＳ部を有することを特徴とする請求項４記載のアクセス系ネットワーク−ＭＰＬＳ網間データ転送システム。
【請求項６】
ＶＬＡＮ網及びＭＰＬＳ網に接続された集約装置側で、
前記ＭＰＬＳ網に対して信号の送受信を行い、
イーサカプセル化ＡＴＭをＭＰＬＳカプセル化ＡＴＭに、ＭＰＬＳカプセル化ＡＴＭをイーサカプセル化ＡＴＭに変換し、
前記ＶＬＡＮ網に対して信号の送受信を行い、
アクセス系ネットワーク及びＶＬＡＮ網に接続されたＰＷＥ装置側で、
前記アクセス系ネットワークに対して信号の送受信を行い、
前記ＶＬＡＮ網に対して信号の送受信を行い、
ＡＴＭセルを前記ＶＬＡＮ網に乗せるためのイーサカプセル化、イーサカプセル化ＡＴＭをＡＴＭアクセス系のネットワークに乗せるためのデカプセル化を行うことを特徴とするアクセス系ネットワーク−ＭＰＬＳ網間データ転送方法。
【請求項７】
ＶＬＡＮ網及びＭＰＬＳ網に接続された集約装置側で、
前記ＭＰＬＳ網に対して信号の送受信を行い、
イーサカプセル化ＴＤＭをＭＰＬＳカプセル化ＴＤＭに、ＭＰＬＳカプセル化ＴＤＭをイーサカプセル化ＴＤＭに変換し、
前記ＶＬＡＮ網に対して信号の送受信を行い、
アクセス系ネットワーク及びＶＬＡＮ網に接続されたＰＷＥ装置側で、
前記アクセス系ネットワークに対して信号の送受信を行い、
前記ＶＬＡＮ網に対して信号の送受信を行い、
ＴＤＭフレームを前記ＶＬＡＮ網に乗せるためのイーサカプセル化、イーサカプセル化ＴＤＭをＡＴＭアクセス系のネットワークに乗せるためのデカプセル化を行うことを特徴とするアクセス系ネットワーク−ＭＰＬＳ網間データ転送方法。
【請求項８】
ＶＬＡＮ網及びＭＰＬＳ網に接続された集約装置のコンピュータに、
ＭＰＬＳインターフェース部が、前記ＭＰＬＳ網に対して信号の送受信を行う手順、
インターワーク機能部が、イーサカプセル化ＡＴＭをＭＰＬＳカプセル化ＡＴＭに、ＭＰＬＳカプセル化ＡＴＭをイーサカプセル化ＡＴＭに変換する手順、
ＶＬＡＮインターフェース部が、前記ＶＬＡＮ網に対して信号の送受信を行う手順、
アクセス系ネットワーク及びＶＬＡＮ網に接続されたＰＷＥ装置のコンピュータに、
ＡＴＭインターフェース部が、前記アクセス系ネットワークに対して信号の送受信を行う手順、
ＶＬＡＮインターフェース部が、前記ＶＬＡＮ網に対して信号の送受信を行う手順、
イーサカプセル化部が、ＡＴＭセルを前記ＶＬＡＮ網に乗せるためのイーサカプセル化、イーサカプセル化ＡＴＭをＡＴＭアクセス系のネットワークに乗せるためのデカプセル化を行う手順、
を実行させることを特徴とするプログラム。
【請求項９】
ＶＬＡＮ網及びＭＰＬＳ網に接続された集約装置のコンピュータに、
ＭＰＬＳインターフェース部が、前記ＭＰＬＳ網に対して信号の送受信を行う手順、
インターワーク機能部が、イーサカプセル化ＴＤＭをＭＰＬＳカプセル化ＴＤＭに、ＭＰＬＳカプセル化ＴＤＭをイーサカプセル化ＴＤＭに変換する手順、
ＶＬＡＮインターフェース部が、前記ＶＬＡＮ網に対して信号の送受信を行う手順、
アクセス系ネットワーク及びＶＬＡＮ網に接続されたＰＷＥ装置のコンピュータに、
ＴＤＭインターフェース部が、前記アクセス系ネットワークに対して信号の送受信を行う手順、
ＶＬＡＮインターフェース部が、前記ＶＬＡＮ網に対して信号の送受信を行う手順、
イーサカプセル化部が、ＴＤＭフレームを前記ＶＬＡＮ網に乗せるためのイーサカプセル化、イーサカプセル化ＴＤＭをＴＤＭアクセス系のネットワークに乗せるためのデカプセル化を行う手順を実行させることを特徴とするプログラム。
【発明の詳細な説明】
【技術分野】
【０００１】
本発明は、アクセス系ネットワーク−ＭＰＬＳ網間データ転送システム、方法、及びプログラムに関する。
【背景技術】
【０００２】
近年、レガシー系のＡＴＭ(Asynchronous Transfer Mode)回線やＴＤＭ(Time Division Multiplexing)回線をＥｔｈｅｒｎｅｔ(イーサネット：登録商標)網やＩＰ(Internet Protocol)網・ＭＰＬＳ(Multi Protocol Label Switching)網といった網に乗せるＰＷＥ(Pseudo Wire Emulation)という技術が盛んに行われている。
【０００３】
また、キャリア系業者の中で、ＭＰＬＳ網を用いたバックボーンネットワーク技術が求められている。ＡＴＭ回線やＴＤＭ回線をＭＰＬＳ網に乗せるためには、ＰＷＥ装置にＭＰＬＳ機能を持たせる必要があるが、安価なPWE装置には、プロトコルを持たないイーサ機能のみを持つものが多い。ＭＰＬＳを動作させるためには、多数のプロトコルの動作が必要となり、実装するためには、開発・評価の工数が膨大にかかる。特にアクセス系装置に対しては安価なものが求められるがＭＰＬＳ機能を実装すると価格的に高くなり、需要を満たすことが難しい。
【０００４】
また、プロトコルを持たないイーサ機能のみを持つ安価なＰＷＥ装置を用いて、集約装置側でＭＰＬＳカプセル化をした場合には、ＡＴＭまたはＴＤＭにイーサヘッダとＭＰＬＳヘッダとがつくためにＡＴＭ／ＴＤＭoverＥｔｈｅｒｏｖｅｒＭＰＬＳというパケットフォーマットとなり、イーサヘッダ分オーバーヘッドが多くなり帯域が減らされる。
【０００５】
ここで、本発明に関連した、ＭＰＬＳ機能を持たないＰＷＥ装置を、ＭＰＬＳ機能を持つＰＷＥ装置に置き換えた場合について図５を参照して説明する。
【０００６】
図５は、本発明に関連したデータ転送システムの概念図である。
図５において、ＭＰＬＳ機能を有するＰＷＥ装置はＡＴＭセルやＴＤＭフレームに対してＭＰＬＳカプセル化を行い、ＭＰＬＳ網に載せる。
【０００７】
ここで、アクセス系ネットワーク−MPLS網間データ転送システムに関連する技術の一例が特許文献１〜３に記載されている。
特許文献１のＡＴＭコンバータは、「多地点にATM装置を、広域イーサネット網を介して接続し、ATM装置間で通信を行うため、ＡＴＭセルとＥｔｈｅｒｎｅｔフレームのメディア変換を実行するＡＴＭコンバータであって、ＡＴＭ装置とＡＴＭセルのインターフェースを実行するＡＴＭインターフェースと、広域イーサネット網とＥｔｈｅｒｎｅｔフレームのインターフェースを実行するＥｔｈｅｒｎｅｔインターフェースと、ＡＴＭセルとＥｔｈｅｒｎｅｔフレームのメディア変換を実効制御するメディア変換手段を備えた」ものであり、以下のように動作する。
【０００８】
このＡＴＭコンバータによれば、ＡＴＭ装置から供給されるＡＴＭセルをＥｔｈｅｒｎｅｔフレームに変換し、Ｅｔｈｅｒｎｅｔフレームを広域イーサネット網に送信するとともに、広域イーサネット網から受信したＥｔｈｅｒｎｅｔフレームをＡＴＭセルに変換してＡＴＭ装置に供給することができ、ＡＴＭ装置相互間でＥｔｈｅｒｎｅｔ網を介し、広帯域で安価な通信を実現することができるとしている。
【０００９】
特許文献２のＭＰＬＳ転送方法は、「ラベルスイッチング機能を持つ複数のＭＰＬＳ（Multi Protocol Label Switching）ルータを備えるＭＰＬＳネットワークにおいて、ＭＰＬＳルータそれぞれが、ＭＰＬＳネットワークを複数のドメインに分割してドメインごとにＬＳＰ（Label Switched Path）を確立し、確立したＬＳＰの情報を記憶部に記録し、ＭＰＬＳルータのうち、ユーザネットワークからパケットを受信した送信元ＭＰＬＳエッジルータが、（１）パケットの宛先のエッジルータである宛先ＭＰＬＳエッジルータを示すラベルと、（２）宛先ＭＰＬＳエッジルータに到達するまで経由するドメインを示すラベルとをパケットに付与して送信し、ドメインの境界に設置されるＭＰＬＳルータであるドメイン境界ＭＰＬＳルータが、受信したパケットに付与されたラベルを参照して、次の転送先であるドメインへパケットを転送し、宛先ＭＰＬＳエッジルータを含むドメインのドメイン境界ＭＰＬＳルータが、受信したパケットに付与されたラベルおよびこのドメイン境界ＭＰＬＳルータのＬＳＰの情報を参照して、確立したＬＳＰのうち、宛先ＭＰＬＳエッジルータとの間で確立したＬＳＰを選択し、パケットを転送することを特徴とする。」で構成されており、以下のように動作する。
【００１０】
ＭＰＬＳルータは、ＭＰＬＳネットワークをドメインに分割し、そのドメインごとにＬＳＰを確立する。また、送信元ＭＰＬＳエッジルータは、送信するパケットに宛先ＭＰＬＳエッジルータのラベルと経由すべきドメインのドメインラベルとを付与するので、ＬＳＰの切れ目となるドメイン境界ＭＰＬＳルータは、このラベルに基づき次のドメイン（あるいは宛先ＭＰＬＳエッジルータ）に接続するＬＳＰへパケットを転送することができるとしている。
【００１１】
特許文献３のパケット転送制御方法は、「ＭＰＬＳを用いるＭＰＬＳネットワークと、ＭＰＬＳプロトコルを用いないネットワークとをインターワークするパケット転送装置におけるパケット転送制御方法であって、ＭＰＬＳネットワーク内では、ＯＳＩモデルのレイヤ３ヘッダの前に付与されるＭＰＬＳヘッダ内のラベルによりパケットのスイッチングが行われ、ＭＰＬＳプロトコルを用いないネットワーク内では、レイヤ３ヘッダの前に付与される、ＭＰＬＳヘッダとは異なるＯＳＩモデルのレイヤ２ヘッダによりパケットのスイッチングが行われ、ＭＰＬＳプロトコルを用いないネットワーク内には、レイヤ２ヘッダの識別子により識別される、複数の論理的なネットワークが構成され、パケット転送制御方法は、識別子とラベルとの対応関係をパケット転送装置に設定し、ＭＰＬＳプロトコルを用いないネットワークからパケットを受信すると、その受信パケットに付与されているレイヤ２ヘッダ内の識別子により、その受信パケットが複数の論理的なネットワークの内、何れのネットワークに属するものかを判断し、対応関係を調べ、対応関係のみに基づいて受信パケットに付与するラベルを決定し、ＭＰＬＳネットワークからパケットを受信すると、対応関係を調べ、対応関係のみに基づいてＭＰＬＳネットワークから受信パケットに付与されているラベルに対応する識別子を決定し、ＭＰＬＳネットワークから受信パケットを、複数の論理的なネットワークの内、何れのネットワークに送信するかを判断する、ステップを有し、対応関係において識別子とラベルとは１対１に対応している」ものであり、以下のように動作する。
【００１２】
このパケット転送制御方法によれば、ＭＰＬＳネットワークと、ＭＰＬＳプロトコルを用いないネットワークとをインターワークするパケット転送装置に、ＭＰＬＳプロトコルを用いないネットワークで使用されるパケットヘッダであって、ＯＳＩモデルのレイヤ３の前に付与される、ＭＰＬＳヘッダとは異なるＯＳＩモデルのレイヤ２に相当するレイヤのヘッダ（以下、「レイヤ２ヘッダ」という。）の情報と、レイヤ３ヘッダの情報との組と、ＭＰＬＳヘッダの情報との対応関係を示すヘッダ変換情報を設定する。パケット転送装置は、この情報を用いることにより、レイヤ２ヘッダをＭＰＬＳヘッダに変換するとしている。
【特許文献１】特開２００７−１８４６８１号公報
【特許文献２】特開２００７−２３５３８１号公報
【特許文献３】特開２００８−２１９９３４号公報
【発明の開示】
【発明が解決しようとする課題】
【００１３】
しかしながら、本発明に関連した、ＭＰＬＳ機能を持たないＰＷＥ装置を、ＭＰＬＳ機能を持つＰＷＥ装置に置き換えた場合においては、ＭＰＬＳを動作させるための開発・評価の工数が膨大にかかるために、アクセス系装置に対して、安価なものが求められる需要を満たすことが難しい。
【００１４】
そこで、本発明の目的は、安価なＰＷＥ装置を用いたまま、ＡＴＭ回線やＴＤＭ回線をＭＰＬＳ網に乗り入れ可能なアクセス系ネットワーク−ＭＰＬＳ網間データ転送システム、方法、及びプログラムを提供することにある。
【課題を解決するための手段】
【００１５】
本発明のシステムは、ＶＬＡＮ網及びＭＰＬＳ網に接続され、インターワーク機能を有する集約装置と、アクセス系ネットワーク及び前記ＶＬＡＮ網に接続され、イーサカプセル化機能を有するＰＷＥ装置と、で構成されたことを特徴とする。
【００１６】
本発明の第１の方法は、ＶＬＡＮ網及びＭＰＬＳ網に接続された集約装置側で、前記ＭＰＬＳ網に対して信号の送受信を行い、イーサカプセル化ＡＴＭをＭＰＬＳカプセル化ＡＴＭに、ＭＰＬＳカプセル化ＡＴＭをイーサカプセル化ＡＴＭに変換し、前記ＶＬＡＮ網に対して信号の送受信を行い、アクセス系ネットワーク及びＶＬＡＮ網に接続されたＰＷＥ装置側で、前記アクセス系ネットワークに対して信号の送受信を行い、前記ＶＬＡＮ網に対して信号の送受信を行い、ＡＴＭセルを前記ＶＬＡＮ網に乗せるためのイーサカプセル化、イーサカプセル化ＡＴＭをＡＴＭ系アクセス系のネットワークに乗せるためのデカプセル化を行うことを特徴とする。
【００１７】
本発明の第２の方法は、ＶＬＡＮ網及びＭＰＬＳ網に接続された集約装置側で、前記ＭＰＬＳ網に対して信号の送受信を行い、イーサカプセル化ＴＤＭをＭＰＬＳカプセル化ＴＤＭに、ＭＰＬＳカプセル化ＴＤＭをイーサカプセル化ＴＤＭに変換し、前記ＶＬＡＮ網に対して信号の送受信を行い、アクセス系ネットワーク及びＶＬＡＮ網に接続されたＰＷＥ装置側で、前記アクセス系ネットワークに対して信号の送受信を行い、前記ＶＬＡＮ網に対して信号の送受信を行い、ＴＤＭフレームを前記ＶＬＡＮ網に乗せるためのイーサカプセル化、イーサカプセル化ＴＤＭをＡＴＭアクセス系のネットワークに乗せるためのデカプセル化を行うことを特徴とする。
【００１８】
本発明の第１のプログラムは、ＶＬＡＮ網及びＭＰＬＳ網に接続された集約装置のコンピュータに、ＭＰＬＳインターフェース部が、前記ＭＰＬＳ網に対して信号の送受信を行う手順、インターワーク機能部が、イーサカプセル化ＡＴＭをＭＰＬＳカプセル化ＡＴＭに、ＭＰＬＳカプセル化ＡＴＭをイーサカプセル化ＡＴＭに変換する手順、ＶＬＡＮインターフェース部が、前記ＶＬＡＮ網に対して信号の送受信を行う手順、アクセス系ネットワーク及びＶＬＡＮ網に接続されたＰＷＥ装置のコンピュータに、ＡＴＭインターフェース部が、前記アクセス系ネットワークに対して信号の送受信を行う手順、ＶＬＡＮインターフェース部が、前記ＶＬＡＮ網に対して信号の送受信を行う手順、イーサカプセル化部が、ＡＴＭセルを前記ＶＬＡＮ網に乗せるためのイーサカプセル化、イーサカプセル化ＡＴＭをＡＴＭアクセス系のネットワークに乗せるためのデカプセル化を行う手順、を実行させることを特徴とする。
【００１９】
本発明の第２のプログラムは、ＶＬＡＮ網及びＭＰＬＳ網に接続された集約装置のコンピュータに、ＭＰＬＳインターフェース部が、前記ＭＰＬＳ網に対して信号の送受信を行う手順、インターワーク機能部が、イーサカプセル化ＴＤＭをＭＰＬＳカプセル化ＴＤＭに、ＭＰＬＳカプセル化ＴＤＭをイーサカプセル化ＴＤＭに変換する手順、ＶＬＡＮインターフェース部が、前記ＶＬＡＮ網に対して信号の送受信を行う手順、アクセス系ネットワーク及びＶＬＡＮ網に接続されたＰＷＥ装置のコンピュータに、ＴＤＭインターフェース部が、前記アクセス系ネットワークに対して信号の送受信を行う手順、ＶＬＡＮインターフェース部が、前記ＶＬＡＮ網に対して信号の送受信を行う手順、イーサカプセル化部が、ＴＤＭフレームを前記ＶＬＡＮ網に乗せるためのイーサカプセル化、イーサカプセル化ＴＤＭをＴＤＭアクセス系のネットワークに乗せるためのデカプセル化を行う手順を実行させることを特徴とする。
【発明の効果】
【００２０】
本発明によれば、安価なＰＷＥ装置を用いたまま、ＡＴＭ回線やＴＤＭ回線をＭＰＬＳ網に乗り入れ可能なアクセス系ネットワーク−ＭＰＬＳ網間データ転送システム、方法、及びプログラムの提供を実現することができる。
【発明を実施するための最良の形態】
【００２１】
＜特  徴＞
本発明は、ＡＴＭ回線、またはＴＤＭ回線を、ＭＰＬＳ機能を持たないアクセス系ＰＷＥ装置を用いてＭＰＬＳ網に乗せる場合において、ＶＬＡＮ網とＭＰＬＳ網をインターワークする機能を用いることでＭＰＬＳ網に載せることが可能なことを特徴としている。
【００２２】
また、イーサカプセルされたフレームをそのままＭＰＬＳカプセル化を行うのではなく、ＡＴＭであれば、イーサヘッダ内のＣ−ＴａｇからＭＰＬＳヘッダを取得し、ＴＤＭであれば、イーサヘッダ内のＥＣＩＤからＭＰＬＳヘッダを取得し、カプセル化ヘッダ変換を行うため、ＡＴＭ／ＴＤＭｏｖｅｒＥｔｈｅｒｏｖｅｒＭＰＬＳのパケットとならず、イーサヘッダ分の帯域を有効活用できる。
【００２３】
＜構  成＞
次に本発明の実施の形態について図面を参照して説明する。
図２は、本発明にかかるアクセス系ネットワーク−ＭＰＬＳ網間データ転送システムの一実施の形態を示す概念図である。図２を参照すると、本発明の一実施の形態として、インターワーク機能を持つ装置の位置づけを示している。
図２に示すようにアクセス系ネットワーク−ＭＰＬＳ網間データ転送システムは、ＭＰＬＳ機能を持たないＰＷＥ対応装置９と、インターワーク機能を持つ集約装置１０とで構成されている。
【００２４】
ＰＷＥ対応装置９は、アクセス系のネットワーク１１と、ＶＬＡＮ網１２との間に配置される。ＰＷＥ対応装置９は、アクセス系のネットワーク１１に対して信号の送受信を行うＡＴＭインターフェース部１３と、ＶＬＡＮ網１２に対して信号の送受信を行うＶＬＡＮインターフェース部１４と、ＡＴＭセルをＶＬＡＮ網に乗せるためのイーサカプセル化、イーサカプセル化ＡＴＭ１をＡＴＭアクセス系のネットワークに乗せるためのデカプセル化を行うイーサカプセル化部１５とで構成される。
【００２５】
集約装置１０は、ＶＬＡＮ網１２とＭＰＬＳ網１６との間に配置される。集約装置１０は、ＶＬＡＮ網１２に対して信号の送受信を行うＶＬＡＮインターフェース部１７と、ＭＰＬＳ網１６に対して信号の送受信を行うＭＰＬＳインターフェース部１８と、イーサカプセル化ＡＴＭ１をＭＰＬＳカプセル化ＡＴＭ２に、ＭＰＬＳカプセル化ＡＴＭ２をイーサカプセル化ＡＴＭ１に変換するインターワーク機能部１９とで構成される。
【００２６】
図１は、本発明にかかるアクセス系ネットワーク−ＭＰＬＳ網間データ転送システムの一実施の形態におけるデータの変換の様子を示す説明図である。
図１を参照すると、本発明にかかるアクセス系ネットワーク−ＭＰＬＳ網間データ転送システムに用いられるインターワーク機能部１９で行われるフォーマット変換を示している。図１において、イーサカプセル化ＡＴＭ１とＭＰＬＳカプセル化ＡＴＭ２とでカプセルが構成される。
イーサカプセル化ＡＴＭ１は、ＡＴＭのオリジナルセルからヘッダ誤り制御を除いたＡＴＭセル３と、ＶＩＤを持つイーサヘッダ部４と、ＦＣＳ部５とを有する。
イーサヘッダ部４は、宛先ＭＡＣ(Media Access Control:媒体アクセス制御)アドレス、送信元ＭＡＣアドレス、Ｓ−Ｔａｇ(Service-Tag)部、Ｃ−Ｔａｇ(Customer-Tag)部７、Ｔｙｐｅ、及びＣｏｎｔｒｏｌ  Ｗｏｒｄで構成される。
【００２７】
ＭＰＬＳカプセル化ＡＴＭ２は、ＡＴＭのオリジナルセルからヘッダ誤り制御を除いたセル３と、ＭＰＬＳヘッダ部６と、ＦＣＳ部５とを有する。
ＭＰＬＳヘッダ部６は、宛先ＭＡＣアドレス、送信元ＭＡＣアドレス、Ｔｙｐｅ、Ｔｕｎｎｅｌ−ＬＡＢＥＬ１、ＶＣ−ＬＡＢＥＬ８、及びＣｏｎｔｒｏｌ  Ｗｏｒｄで構成される。
【００２８】
＜動  作＞
次に、ＶＬＡＮ網１２とＭＰＬＳ網１６とをインターワークする機能を用いて、ＡＴＭセルがＭＰＬＳ網に乗り入れる動作・ＭＰＬＳカプセル化ＡＴＭ２がＡＴＭセルにデカプセル化される動作を説明する。
最初にＡＴＭセルがＭＰＬＳカプセル化される動作について説明を行う。
ＡＴＭセルがＰＷＥ対応装置９に入力されるとＲＦＣ４７１７に従い、イーサカプセル化ＡＴＭ１として、ＶＬＡＮ網１２に送信される。
イーサカプセル化ＡＴＭ１は、集約装置１０にＶＬＡＮインターフェース部１７を通して入力される。入力された信号は、インターワーク機能部１９で、イーサヘッダ部４内のＣ−Ｔａｇ部７を見て、ＭＰＬＳヘッダ部６を取得しカプセル化ヘッダ変換を行われる。ＭＰＬＳカプセル化ＡＴＭ２は、ＭＰＬＳインターフェース部１８を通して、ＭＰＬＳ網１６に送信される。
【００２９】
次に図１に示すＭＰＬＳカプセル化ＡＴＭ２がＡＴＭセルにデカプセルされる動作について説明を行う。
ＭＰＬＳカプセル化ＡＴＭ-２は、集約装置１０のＭＰＬＳインターフェース部１８から入力される。入力された信号は、インターワーク機能部１９で、ＭＰＬＳヘッダ６内のＶＣ―Ｌａｂｅｌ部８を見て、イーサヘッダ部４を取得しカプセル化ヘッダ変換が行われる。イーサヘッダカプセル化ＡＴＭ１はＶＬＡＮインターフェース部１７を通して、ＶＬＡＮ網１２に送信される。イーサカプセル化ＡＴＭ１はＰＷＥ装置９のＶＬＡＮインターフェース部１４に入力され、ＲＦＣ４７１７に従い、ＡＴＭセルとしてＡＴＭインターフェース部１３からアクセス系のネットワーク１１に送信される。
【００３０】
図１において、イーサカプセル化ＡＴＭ１はＶＩＤを持つイーサヘッダ部４内のＣ−Ｔａｇ部７を参照しＭＰＬＳヘッダ部６を取得し、ＭＰＬＳカプセル化ＡＴＭ２となる。また、ＭＰＬＳカプセル化ＡＴＭ２はＭＰＬＳヘッダ部６内のＶＣ−Ｌａｂｅｌ部８からイーサヘッダ部４を取得し、イーサカプセル化ＡＴＭ１となる。
【００３１】
このようにして、本発明にかかるアクセス系ネットワーク−ＭＰＬＳ網間データ転送システムは、ＡＴＭセルからＭＰＬＳカプセル化ＡＴＭ２にするのではなく、イーサカプセル化ＡＴＭ１からヘッダの変換を行っているので、ＭＰＬＳ機能を持たないアクセス系ＰＷＥ装置で構成されているＶＬＡＮ網12とＭＰＬＳ網16とを繋ぐことができる。
【００３２】
すなわち、本発明にかかるアクセス系ネットワーク−ＭＰＬＳ網間データ転送システムは、ＭＰＬＳ機能を持たないアクセス系ＰＷＥ対応装置を、ＭＰＬＳ機能を持つアクセス系ＰＷＥ装置に置き換えるのではなく、従来のＶＬＡＮ網を使用し集約側にＶＬＡＮ網とＭＰＬＳ網をインターワークする機能を持つ装置をいれることで、ＭＰＬＳを動作させるために必要な多数のプロトコルの動作が必要なくなり、開発・評価の工数が減るため、安価にＭＰＬＳ網を構築することが可能である。
【００３３】
また、本発明にかかるアクセス系ネットワーク−ＭＰＬＳ網間データ転送システムは、ＡＴＭであればイーサヘッダ内のＣ−ＴａｇからＭＰＬＳヘッダを取得し、ＴＤＭであればイーサヘッダ内のＥＣＩＤからＭＰＬＳヘッダを取得するために、ＡＴＭ／ＴＤＭｏｖｅｒＥｔｈｅｒｏｖｅｒＭＰＬＳのパケットとならず、イーサヘッダ分の帯域を有効活用できる。
【００３４】
＜効  果＞
以上説明したように、本発明においては、イーサカプセル化ＡＴＭ１をＶＬＡＮ網１２とＭＰＬＳ網１６をインターワークする機能を用いてヘッダ変換を行うことが可能なため、ＭＰＬＳ機能を持たないアクセス系ＰＷＥ対応装置を、ＭＰＬＳ機能を持つアクセス系ＰＷＥ対応装置に置き換える必要がないため、安価にＡＴＭ回線をＭＰＬＳ網に乗り入れることができることである。また、イーサヘッダからＭＰＬＳヘッダを取得することで、ＡＴＭｏｖｅｒＥｔｈｅｒｏｖｅｒＭＰＬＳのパケットとならず、イーサヘッダ分の帯域を有効活用できる。
【００３５】
＜他の実施の形態＞
本発明の他の実施の形態として、ＡＴＭセルをＴＤＭフレームとして実現することも可能である。
図３は、本発明にかかるアクセス系ネットワーク−ＭＰＬＳ網間データ転送システムの他の実施の形態におけるデータの変換の様子を示す説明図である。
図３において、図１のＡＴＭセル（誤り制御なし）３はＴＤＭフレーム２２に、イーサカプセル化ＡＴＭ１はイーサカプセル化ＴＤＭ２０に、ＭＰＬＳカプセル化ＡＴＭ２はＭＰＬＳカプセル化ＴＤＭ２２に置き換えられたものである。
【００３６】
すなわち、イーサカプセル化ＴＤＭ(TDMoE)２０は、イーサヘッダ部２３、ＴＤＭＤａｔａ２２及びＦＣＳ部２４を有する。
イーサカプセル化ＴＤＭ(TDMoE)２０は、宛先ＭＡＣアドレス、送信元ＭＡＣアドレス、Ｓ−Ｔａｇ(Service-Tag)部、Ｔｙｐｅ、ＥＣＩＤ２６、Ｒｅｓｅｒｖｅ、及びＣｏｎｔｒｏｌで構成されている。
ＭＰＬＳヘッダ部２５は、宛先ＭＡＣアドレス、送信元ＭＡＣアドレス、Ｔｙｐｅ、Ｔｕｎｎｅｌ−ＬＡＢＥＬ１、ＶＣ−ＬＡＢＥＬ２７、及びＣｏｎｔｒｏｌで構成されている。
【００３７】
図４は、本発明にかかるアクセス系ネットワーク−ＭＰＬＳ網間データ転送システムの他の実施の形態を示す概念図である。
図４において、図２のＡＴＭインターフェース部１３はＴＤＭインターフェース部３２に置き換えられたものである。
【００３８】
最初にＴＤＭフレームがＭＰＬＳカプセル化される動作について説明を行う。
ＴＤＭフレームがＰＷＥ対応装置２８に入力されるとＲＦＣ４５５３・ＲＦＣ５０８６に従い、イーサカプセル化ＴＤＭ２０として、ＶＬＡＮ網３１に送信される。イーサカプセル化ＴＤＭ２０は集約装置２９にＶＬＡＮインターフェース部３６を通して入力される。入力された信号は、インターワーク機能部３８で、イーサヘッダ部２３内のＥＣＩＤ部２６を見て、ＭＰＬＳヘッダ部２５を取得しカプセル化ヘッダ変換を行われる。
ＭＰＬＳカプセル化ＴＤＭ２１は、ＭＰＬＳインターフェース部３７を通して、ＭＰＬＳ網３５に送信される。
【００３９】
次にＭＰＬＳカプセル化ＴＤＭ２１がＴＤＭフレームにデカプセルされる動作について説明を行う。
ＭＰＬＳカプセル化ＴＤＭ２１は、集約装置２９のＭＰＬＳインターフェース部３７から入力される。入力された信号は、インターワーク機能部３８で、ＭＰＬＳヘッダ部２５内のＶＣ−Ｌａｂｅｌ部２７を見て、イーサヘッダ部２３を取得しカプセル化ヘッダ変換が行われる。
イーサヘッダカプセル化ＴＤＭ２０は、ＶＬＡＮインターフェース部３６を通して、ＶＬＡＮ網３１に送信される。イーサカプセル化ＴＤＭ２０はＰＷＥ装置２８のＶＬＡＮインターフェース部３３に入力され、ＲＦＣ４５５３・ＲＦＣ５０８６に従い、ＴＤＭフレームとしてＴＤＭインターフェース部３２からアクセス系のネットワーク-３０に送信される。
【００４０】
以上説明したように、本実施の形態においては、イーサカプセル化ＴＤＭ２０をＶＬＡＮ網３１と、ＭＰＬＳ網３５とをインターワークする機能３８を用いてヘッダ変換を行うことが可能なため、ＭＰＬＳ機能を持たないアクセス系ＰＷＥ対応装置を、ＭＰＬＳ機能を持つアクセス系ＰＷＥ対応装置に置き換える必要がないため、安価にＴＤＭ回線をＭＰＬＳ網に乗り入れることができることである。また、イーサヘッダからＭＰＬＳヘッダを取得することで、ＴＤＭｏｖｅｒＥｔｈｅｒｏｖｅｒＭＰＬＳのパケットとならず、イーサヘッダ分の帯域を有効活用できる。
【００４１】
＜プログラム＞
以上で説明した本発明のアクセス系ネットワーク−ＭＰＬＳ網間データ転送システムは、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００４２】
プログラムとしては、例えば、図２に示すシステムにおいて、
ＶＬＡＮ網１２及びＭＰＬＳ網１６に接続された集約装置１０のコンピュータに、
(1)ＭＰＬＳインターフェース部１８が、ＭＰＬＳ網１６に対して信号の送受信を行う手順、
(2)インターワーク機能部１９が、イーサカプセル化ＡＴＭ１をＭＰＬＳカプセル化ＡＴＭ２に、ＭＰＬＳカプセル化ＡＴＭ２をイーサカプセル化ＡＴＭ１に変換する手順、
(3)ＶＬＡＮインターフェース部１４が、ＶＬＡＮ網１２に対して信号の送受信を行う手順、
(4)アクセス系ネットワーク１１及びＶＬＡＮ網１２に接続されたＰＷＥ装置９のコンピュータに、
(5)ＡＴＭインターフェース部１３が、アクセス系ネットワーク１１に対して信号の送受信を行う手順、
(6)ＶＬＡＮインターフェース部１４が、ＶＬＡＮ網１２に対して信号の送受信を行う手順、
(7)イーサカプセル化部１５が、ＡＴＭセル３をＶＬＡＮ網１２に乗せるためのイーサカプセル化、イーサカプセル化ＡＴＭ１をＡＴＭ系アクセス系のＡＴＭネットワーク１１に乗せるためのデカプセル化を行う手順、
を実行させるプログラムが挙げられる。
【００４３】
また、図４に示すシステムにおいて、
ＶＬＡＮ網３１及びＭＰＬＳ網３５に接続された集約装置２９のコンピュータに、
(a)ＭＰＬＳインターフェース部３７が、ＭＰＬＳ網３５に対して信号の送受信を行う手順、
(b)インターワーク機能部３８が、イーサカプセル化ＴＤＭをＭＰＬＳカプセル化ＴＤＭに、ＭＰＬＳカプセル化ＴＤＭをイーサカプセル化ＴＤＭに変換する手順、
(c)ＶＬＡＮインターフェース部３６が、ＶＬＡＮ網３１に対して信号の送受信を行う手順、
(d)アクセス系ネットワーク３０及びＶＬＡＮ網３１に接続されたＰＷＥ装置２８のコンピュータに、
(e)ＴＤＭインターフェース部３２が、アクセス系ネットワーク３０に対して信号の送受信を行う手順、
(f)ＶＬＡＮインターフェース部３３が、ＶＬＡＮ網３１に対して信号の送受信を行う手順、
(g)イーサカプセル化部３４が、ＴＤＭフレームをＶＬＡＮ網３１に乗せるためのイーサカプセル化、イーサカプセル化ＴＤＭをＡＴＭ系アクセス系のネットワーク３０に乗せるためのデカプセル化を行う手順を実行させるプログラムが挙げられる。
これにより、プログラムが実行可能なコンピュータ環境さえあれば、どこにおいても本発明のアクセス系ネットワーク−ＭＰＬＳ網間データ転送システムを実現することができる。
【００４４】
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００４５】
なお、上述した実施の形態は、本発明の好適な実施の形態の一例を示すものであり、本発明はそれに限定されることなく、その要旨を逸脱しない範囲内において、種々変形実施が可能である。
【図面の簡単な説明】
【００４６】
【図１】本発明にかかるアクセス系ネットワーク−ＭＰＬＳ網間データ転送システムの一実施の形態におけるデータの変換の様子を示す説明図である。
【図２】本発明にかかるアクセス系ネットワーク−ＭＰＬＳ網間データ転送システムの一実施の形態を示す概念図である。
【図３】本発明にかかるアクセス系ネットワーク−ＭＰＬＳ網間データ転送システムの他の実施の形態におけるデータの変換の様子を示す説明図である。
【図４】本発明にかかるアクセス系ネットワーク−ＭＰＬＳ網間データ転送システムの他の実施の形態を示す概念図である。
【図５】本発明に関連したデータ転送システムの概念図である。
【符号の説明】
【００４７】
１    イーサカプセル化ＡＴＭ
２    ＭＰＬＳカプセル化ＡＴＭ
３    ＡＴＭセル
４    イーサヘッダ部
５    ＦＣＳ部
６    ＭＰＬＳヘッダ部
７    Ｃ−Ｔａｇ部
８    ＶＣ−Ｌａｂｅｌ部
【図１】
2010109936.tif 000003
【図２】
2010109936.tif 000004
【図３】
2010109936.tif 000005
【図４】
2010109936.tif 000006
【図５】
2010109936.tif 000007